(57)【要約】      （修正有）【課題】コンロを使用した後に、灰を掃除する際の作業性を楽にし、また、固形燃料への空気供給量の加減を可能にするバーベキュー用コンロを提供する。【解決手段】バーベキュー用コンロ１は、開口した上面と固形燃料が載置される底板２０を備え、該底板２０に空気が通過可能な孔２２を形成した本体２と、該底板２０に対して間隔を空けるように該底板２０の下方に設けられ、且つ本体２に着脱可能に取り付けられた灰受け部材４とを備えて構成される。灰受け部材４又は本体２の側面の一方には、高さ方向に２つの受け片６が設けられ、他方には、該受け片６に着脱自在に嵌まる当接片５０が設けられている。灰受け部材４は当接片５０と受け片６の嵌合により、本体２の底板２０から離れた第１の高さ位置と、第１の高さ位置よりも低い第２の高さ位置との間にて選択的に本体２に取り付けられる。【選択図】図１
0003211720.tif 000002
【実用新案登録請求の範囲】
【請求項１】
開口した上面と固形燃料が載置される底板を備え該底板に空気が通過可能な孔を形成した本体と、該底板に対して上下間隔を空けるように該底板の下方に設けられ、且つ取手を介して本体に着脱可能に取り付けられた灰受け部材とを備えて構成される、バーベキュー用コンロ。
【請求項２】
前記取手又は本体の側面の一方には、高さ方向に少なくとも２つの受け片が設けられ、他方には、該受け片に着脱自在に嵌まる当接片が設けられ、
前記灰受け部材は当接片と受け片の嵌合により少なくとも、本体の底板から離れた第１の高さ位置と、第１の高さ位置よりも低い第２の高さ位置との間にて選択的に本体に取り付けられる、請求項１に記載のバーベキュー用コンロ。
【請求項３】
前記当接片は取手に設けられ、前記受け片は本体の側面に設けられた、請求項１又は２に記載のバーベキュー用コンロ。
【請求項４】
前記取手は使用者用の把持部を備え、前記灰受け部材が前記本体に取り付けられた状態で、前記把持部の先端部は本体から外向きに離れている、請求項１乃至３の何れかに記載のバーベキュー用コンロ。
【考案の詳細な説明】
【技術分野】
【０００１】
本考案は、アウトドア等で使用されるバーベキュー用コンロに関する。
【背景技術】
【０００２】
近年、キャンプ場のようなアウトドアでバーベキュー用コンロを用いて食事をすることが流行しており、かかるバーベキュー用コンロが普及しつつある。図７は、従来の一般的なバーベキュー用コンロを示す正面図である。バーベキュー用コンロ１は、上面が開口し下面から下向きに脚片３を突設した本体２を備え、該本体２の下端部には空気が通過可能な孔２２が開設されている。本体２内にて孔２２の上側には、金網であるロストル２３が設けられ、該ロストル２３上に炭１０等の固形燃料を並べる。本体２の上面開口に網３０を置き、該網３０上に肉や野菜等の食材を置く。炭１０に着火すると、孔２２からの上昇空気により炭１０が燃え、網３０上の食材を調理することができる。炭１０の燃え殻である灰は本体２の底面に落下する。
また、出願人は以前に図８に示すコンロ１を提案している(特許文献１参照)。これは矩形状の枠体８の各辺部に４枚の側板８０の上端部を回動可能に取り付けて形成されたコンロ１である。各側板８０は何れも下端部が幅狭の台形状に形成され、少なくとも１つの側板８０の下端部には載置板８１が設けられる。載置板８１上に網(図示せず)を介して固形燃料が載置される。固形燃料の灰は載置板８１上に落下する。
【先行技術文献】
【特許文献】
【０００３】
【特許文献１】実用新案登録第３１８６５３７号
【考案の概要】
【考案が解決しようとする課題】
【０００４】
従来のコンロでは、コンロを使用した後に、灰を掃除する場合は、本体２又は枠体８をひっくり返して灰を落下させる必要があり、面倒である。
また、固形燃料の種類によって火力が異なることがあり、固形燃料への空気供給量を加減したい場合があるが、従来のコンロではそれができなかった。
本考案は、かかる問題の解決を目的とする。
【課題を解決するための手段】
【０００５】
バーベキュー用コンロは、開口した上面と固形燃料が載置される底板を備え該底板に空気が通過可能な孔を形成した本体と、該底板に対して上下間隔を空けるように該底板の下方に設けられ、且つ取手を介して本体に着脱可能に取り付けられた灰受け部材とを備えて構成される。
また、取手又は本体の側面の一方には、高さ方向に少なくとも２つの受け片が設けられ、他方には、該受け片に着脱自在に嵌まる当接片が設けられている。灰受け部材は当接片と受け片の嵌合により少なくとも、本体の底板から離れた第１の高さ位置と、第１の高さ位置よりも低い第２の高さ位置との間にて、選択的に本体に取り付けられる。
【考案の効果】
【０００６】
１．本体の底板には孔が開設され、該底板と灰受け部材とは間隔を空けて設けられるから、空気は該間隔と孔を通って固定燃料に供給される。固定燃料の燃焼後の灰は、孔を通って灰受け部材上に落下する。該灰受け部材は本体に着脱可能に取り付けられるから、灰を掃除する場合は灰受け部材を本体から取り外せばよい。従って、灰を掃除する場合の作業性が楽になる。
２．受け片は高さ方向に少なくとも２つ設けられているから、当接片を高さが異なる受け片に取り付けることにより、灰受け部材を少なくとも、第１の高さ位置と、第１の高さ位置よりも低い第２の高さ位置との間にて、選択的に本体に取り付けることができる。即ち、灰受け部材と本体の底板との間隔を変えることが出来る。これにより、間隔及び孔を通って底板上の固形燃料に供給される空気の量が変わるので、固形燃料への空気供給量を加減したい場合に対応することが出来る。
【図面の簡単な説明】
【０００７】
【図１】バーベキュー用コンロの分解斜視図である。
【図２】(a)、(b)は、灰受け部材を受け片列に取り付けた状態を示す正面図である。
【図３】受け片の拡大図である。
【図４】実験１用に試作したコンロの正面図である。
【図５】火おこし器を置いた図４のコンロの平面図である。
【図６】火おこし器の斜視図である。
【図７】従来のバーベキュー用コンロの正面図である。
【図８】別のバーベキュー用コンロの斜視図である。
【考案を実施するための形態】
【０００８】
以下、本考案の一実施形態を図を用いて詳述する。
図１は、本考案に係るバーベキュー用コンロ１の分解斜視図である。該バーベキュー用コンロ１は、上面が開口し第１底板２０と４枚の第１側板２１とによって構成された本体２と、該第１側板２１から下向きに突出する複数の棒状の脚片３と、上面が開口した箱体である灰受け部材４を備えて構成される。第１底板２０には空気が通過可能な孔２２を多数設けたロストル２３が設けられ、該ロストル２３上に炭等の固形燃料(図示せず)が並べられる。本体２と灰受け部材４は難燃性に鑑みて、通常は金属板から形成される。
【０００９】
灰受け部材４は、第２底板４０上に４枚の第２側板４１を立設して、直方体状に形成され、互いに対向した一対の第２側板４１には、対応する第１側板２１に取り付けられる２つの取手５が設けられている。
本体２の使用時には、本体２の開口上に網(図示せず)を置き該網の上に食材を置いた状態で、ロストル２３上の固形燃料に着火する。固形燃料の燃え殻である灰は、ロストル２３の孔２２を通って灰受け部材４の第２底板４０に落下する。
【００１０】
各取手５は金属棒材から一体に形成され、第２側板４１の上辺に沿って離間した一対の縦片５１と、両縦片５１の上端部を接続するように水平に延びた当接片５０と、該当接片５０から上方へ斜め外向きに延びて使用者が把持する把持片５２と、縦片５１の下端部から水平外向きに設けられて第２側板４１に回動自在に嵌まる軸片５３とを備えている。使用者が灰受け部材４を運搬する際には、両取手５の把持片５２を把持する。
【００１１】
取手５に対応する第１側板２１上には、当接片５０を受けて支える受け片６が設けられている。受け片６は図３に拡大して示すように、第１側板２１から斜め上向きに延びる受け板６１から形成され、該受け板６１の上面下端部にて当接片５０を受ける。しかし、受け片６は当接片５０を支持することができる形状であれば、この形状に限定されない。２つの受け片６は当接片５０を受けるべく水平方向に配置されて１つの受け片列６０を形成し、この受け片列６０が高さ方向に沿って２つ設けられている。図１では、受け片列６０は高さ方向に沿って２つ設けられているが、２つに限定するものではなく、３つ以上であってもよい。また、図１では全ての受け片６は１枚の金属板を加工して形成されたように記載されているが、各受け片６は別個に形成されてもよい。
【００１２】
灰受け部材４を本体２に取り付けるには、取手５を軸片５３を中心として回動させ、当接片５０を何れか一方の受け片列６０に引掛ける。当接片５０を何れか一方の受け片列６０に選択的に引掛け、嵌合させることにより、灰受け部材４の高さ位置を変えることが出来る。
バーベキュー用コンロ１を搬送するには、取手５を持ち上げる。このとき、当接片５０は受け片列６０から外れるが、灰受け部材４の第２側板４１の上端が本体２の第１底板２０に当接するから、灰受け部材４と本体２とは一緒に運搬される。
【００１３】
図２(a)、(b)は、灰受け部材４を受け片列６０に取り付けた状態を示す正面図である。灰受け部材４を高い方の受け片列６０に取り付けた状態を、図２(a)に、灰受け部材４を低い方の受け片列６０に取り付けた状態を、図２(b)に夫々示す。前記の如く、把持片５２は、当接片５０から上方外向きに延びているから、灰受け部材４が本体２に取り付けられた状態では、把持片５２は先端部が本体２から外向きに離れている。これにより、本体２が加熱されても、把持片５２は直ぐには熱くならない。
【００１４】
図２(a)における灰受け部材４の高さ位置を第１の高さ位置とし、図２(b)における灰受け部材４の高さ位置を第２の高さ位置とする。第２の高さ位置の方が第１の高さ位置よりも低く、灰受け部材４の第２側板４１と本体２の第１底板２０との間隔が広いから、孔２２を通って固形燃料に当たる空気量が多い。即ち、固形燃料が燃え易い。出願人は、第１の高さ位置における灰受け部材４の第２側板４１と本体２の第１底板２０との間隔を数ｍｍ、第２の高さ位置における灰受け部材４の第２側板４１と本体２の第１底板２０との間隔を２-３ｃｍに想定しているが、この間隔に限定されない。
【００１５】
(実施形態の効果)
1. バーベキュー用コンロ１を使用時には、空気は本体２と灰受け部材４との間隔及び本体２の孔２２とを通って、固定燃料に供給される。固定燃料の燃焼後の灰は、孔２２を通って灰受け部材４上に落下する。該灰受け部材４は本体２に着脱可能に取り付けられるから、灰を掃除する場合は灰受け部材４を本体２から取り外せばよい。従って、灰を掃除する場合の作業性が楽になる。
２．受け片６は高さ方向に少なくとも２つ設けられているから、当接片５０を高さが異なる受け片６に取り付けることにより、灰受け部材４と本体２の底面との間隔を変えることが出来る。これにより、該間隔を通って固形燃料に供給される空気の量が変わるので、固形燃料への空気供給量を加減したい場合に対応することが出来る。
【００１６】
(実験結果)
出願人は従来のバーベキュー用コンロ１の燃焼性を改善すべく、以下の実験１と実験２を行って、本考案に係るバーベキュー用コンロ１を着想するに至った。
実験１
先ず、図７に示す従来のバーベキュー用コンロ１の本体２から孔２２を除去し、代わりに本体２の底面にロストル２３を設け、該本体２から灰受け部材４を吊設した図４に示すコンロ１を試作した。本体２の底面と灰受け部材４とは可成り間隔が空いている。つまり、ロストル２３から本体２内に流入する空気量は従来品に比して可成り多い。
【００１７】
この本体２上に図５の平面図に示すように、５つの火おこし器９を本体２の底面の中央に１つ、隅部に４つ配置し、固定燃料である炭１０に着火した。ここで火おこし器９とは図６に示すように、下端部に空気が通過する孔９１を開設した筒体９０の中に有孔板９２を設け、該有孔板９２の下側に着火剤９３を配置するものである。有孔板９２の上側に炭１０を挿入し、着火剤９３に着火することにより、炭１０に楽に着火することが出来る。火おこし器９を覆うように、火おこし器９内と同量の炭１０を本体２内に入れた。図７に示す従来のバーベキュー用コンロ１にも、同様に火おこし器９を配置して、炭１０に着火し、燃焼時間、ロストル２３上の温度、調理可能時間を計測した。その結果を、表１に示す。
【表１】
0003211720.tif 000003
【００１８】
この結果から、図４のコンロ１の方が着火は早いが、燃焼時間が短く、また炭１０から火が上がり、食材の調理には危険であることが判った。これは、本体２の第１底板２０への空気の流入が良すぎる為であると思料される。従って、実験１のこの結果から、出願人は本体２への空気流入量を調整することを着想した。
【００１９】
実験２
次に出願人は図１に示すコンロ１を試作し、図２(a)、(b)に示すように、灰受け部材４の高さ調整を行って、燃焼性を確認した。前記の如く、図２(a)にあっては、灰受け部材４ の第２側板４１と本体２の第１底板２０との間隔は数ｍｍ、図２(b)にあっては、灰受け部材４の第２側板４１と本体２の第１底板２０との間隔は２-３ｃｍである。また、出願人は図８に示すコンロ１も同様に灰受け部材４を高さ調整可能な構造に改造した。火おこし器９の配置位置、使用する炭１０の量は実験１と同じである。
【００２０】
先ず、灰受け部材４の高さを第２の高さ位置に設定して、炭に着火する。炭が着火して炎が上がるまでの時間は、図２(b)に示すコンロ１では約３５分、図８のコンロ１を改造したコンロ１では約３０分であった。
【００２１】
炎が上がってから、灰受け部材４を第１の高さ位置に設定して、第１底板２０に流入する空気量を少なくした。第１の高さ位置へ設定してから約１０分後に、両方のコンロ１とも、炎が落ち着き、食材の調理が可能な状態となった。従って、灰受け部材４の高さ調整は、炎を安定させるのに効果があることが確認された。炎が上がり始める前に、第１底板２０に流入する空気量を少なくするように、灰受け部材４を第１の高さ位置に設定するのが、早めに食材を調理開始できるように思われる。
出願人は海外工場で試作したコンロ１でも同様に、灰受け部材４の高さを調整することにより、炎を安定させる効果があることを確認している。即ち、海外工場で試作したコンロ１では細部の寸法差、加工方法の差、変形等があることがあるが、それにも拘わらず、灰受け部材４の高さ調整の効果を確認することが出来た。
【００２２】
上記記載では、本体２の第１底板２０にロストル２３を設けているが、空気が通過可能な孔２２を形成した部材であればよく、例えばパンチングメタル等に置換することも出来る。
また、受け片６を本体２に、当接片５０を灰受け部材４に設けているが、受け片６を灰受け部材４に、当接片５０を本体２に設けてもよい。
【産業上の利用可能性】
【００２３】
本考案に係るバーベキュー用コンロは、固形燃料の火力を調整可能なコンロに適用すると有用である。
【符号の説明】
【００２４】
１    バーベキュー用コンロ
２    本体
４    灰受け部材
５    取手
６    受け片
１０  炭
５０  当接片
【図１】
0003211720.tif 000004
【図２】
0003211720.tif 000005
【図３】
0003211720.tif 000006
【図４】
0003211720.tif 000007
【図５】
0003211720.tif 000008
【図６】
0003211720.tif 000009
【図７】
0003211720.tif 000010
【図８】
0003211720.tif 000011
【手続補正書】
【提出日】平成29年5月30日(2017.5.30)
【手続補正１】
【補正対象書類名】実用新案登録請求の範囲
【補正対象項目名】全文
【補正方法】変更
【補正の内容】
【実用新案登録請求の範囲】
【請求項１】
開口した上面と固形燃料が載置される底板を備え該底板に空気が通過可能な孔を形成した本体と、該底板に対して上下間隔を空けるように該底板の下方に設けられ、且つ取手を介して本体に着脱可能に取り付けられた灰受け部材とを備えて構成される、バーベキュー用コンロ。
【請求項２】
前記取手又は本体の側面の一方には、高さ方向に少なくとも２つの受け片が設けられ、他方には、該受け片に着脱自在に嵌まる当接片が設けられ、
前記灰受け部材は当接片と受け片の嵌合により少なくとも、本体の底板から離れた第１の高さ位置と、第１の高さ位置よりも低い第２の高さ位置との間にて選択的に本体に取り付けられる、請求項１に記載のバーベキュー用コンロ。
【請求項３】
前記当接片は取手に設けられ、前記受け片は本体の側面に設けられた、請求項２に記載のバーベキュー用コンロ。
【請求項４】
前記取手は使用者用の把持部を備え、前記灰受け部材が前記本体に取り付けられた状態で、前記把持部の先端部は本体から外向きに離れている、請求項１乃至３の何れかに記載のバーベキュー用コンロ。